(57)【要約】【課題】商品の購入者に商品の存在をより確実に認識させる。【解決手段】陳列装置３０は、陳列装置３０の手前側に位置する容器を陳列装置３０の奥側に向けて一方向に移動させる第１移動ユニット１００、第１移動ユニット１００により移動してきた容器を上記一方向とは直交する方向（交差する方向）に移動させる第２移動ユニット２００、第２移動ユニット２００により移動してきた容器を陳列装置３０の手前側に向けて移動させる第３移動ユニット３００を備えている。【選択図】図１
2011056021.tif 000002
【特許請求の範囲】
【請求項１】
内容物が充填された容器を陳列する陳列装置であって、
前記容器が取り出される取り出し部と、
一方の側から前記取り出し部まで前記容器を移動させる第１の移動手段と、
前記容器を前記取り出し部から前記一方の側に移動させる第２の移動手段と、
を含む陳列装置。
【請求項２】
前記容器を周方向に回転させ、当該容器に付された標記を特定の方向に向ける回転手段を更に備えることを特徴とする請求項１記載の陳列装置。
【請求項３】
前記回転手段は、前記第１の移動手段により移動する前記容器を周方向に回転させ前記標記を前記特定の方向に向けることを特徴とする請求項２記載の陳列装置。
【請求項４】
前記回転手段は、前記容器の移動経路に突出する突出部を複数有し、移動する当該容器に設けられた複数の面に対して当該突出部を順次接触させることで当該容器を周方向に回転させることを特徴とする請求項２又は３に記載の陳列装置。
【請求項５】
前記回転手段は、移動する前記容器の外周面に対して当該移動に対する抗力を付与することで当該容器を周方向に回転させることを特徴とする請求項２又は３に記載の陳列装置。
【請求項６】
前記第２の移動手段は、前記容器を下方から支持する支持面を有し、当該支持面に付与された傾斜を利用して当該容器を前記一方の側に移動させることを特徴する請求項１乃至５の何れかに記載の陳列装置。
【請求項７】
前記取り出し部にて、前記第２の移動手段は前記第１の移動手段よりも上方に位置し、
前記第１の移動手段により前記取り出し部に移動してきた前記容器を上昇させる上昇手段を更に備えることを特徴とする請求項１乃至６の何れかに記載の陳列装置。
【請求項８】
前記第１の移動手段は、前記容器を下方から支持する容器支持部を前記取り出し部に有し、
前記上昇手段は、前記第１の移動手段の前記容器支持部を上昇させることで前記容器の前記上昇を行うことを特徴とする請求項７記載の陳列装置。
【請求項９】
前記第２の移動手段は、前記容器を下方から支持する容器支持部を有し、
前記上昇手段は、前記第２の移動手段の前記容器支持部を下降させるとともに当該容器支持部を上昇させることで前記容器の前記上昇を行うことを特徴とする請求項７記載の陳列装置。
【請求項１０】
前記上昇手段により上昇が行われている前記容器が当該上昇手段から除去されたことを検知する検知手段を更に備え、
前記上昇手段は、前記容器を支持する容器支持部を予め定められた位置まで上昇させることで当該容器の前記上昇を行うとともに当該上昇を行った後当該容器支持部を下降させ、当該容器支持部の上昇を行っているときに前記検知手段にて前記除去が検知された場合には当該容器支持部を当該予め定められた位置まで上昇させずに下降させることを特徴とする請求項７記載の陳列装置。
【請求項１１】
前記上昇手段は、前記容器を支持する容器支持部を上昇させることで当該容器の前記上昇を行うとともに当該上昇を行った後当該容器支持部を下降させ、前記陳列装置が収納される収納ケースに設けられ当該容器が取り出される際に操作されるドアの開操作がなされた場合には当該容器支持部の当該上昇又は当該下降を停止することを特徴とする請求項７記載の陳列装置。
【発明の詳細な説明】
【技術分野】
【０００１】
本発明は、容器を陳列する陳列装置に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
【０００３】
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。さらに、容器に関するものとして、缶底に形成された環状凸部の内周壁に、内側凹部と縦リブとが円周方向に交互に形成された缶が提案されている（例えば、特許文献３参照）。
【先行技術文献】
【特許文献】
【０００４】
【特許文献１】特開平１１−１５５７０１号公報
【特許文献２】米国特許第６５０２４０８号
【特許文献３】特開２０００−２１１６２４号公報
【発明の概要】
【発明が解決しようとする課題】
【０００５】
コンビニエンスストアなどの店舗に設置される陳列装置では、静止した状態で商品が陳列されるのが一般的である。ここで、商品の存在を商品の購入者により確実に認識させることができれば、商品が購入される可能性をより高めることが可能となる。
【課題を解決するための手段】
【０００６】
本発明が適用される陳列装置は、内容物が充填された容器を陳列する陳列装置であって、容器が取り出される取り出し部と、一方の側から取り出し部まで容器を移動させる第１の移動手段と、容器を取り出し部から一方の側に移動させる第２の移動手段と、を含む陳列装置である。
【０００７】
ここで、容器を周方向に回転させ、容器に付された標記を特定の方向に向ける回転手段を更に備えることを特徴とすることができる。また、回転手段は、第１の移動手段により移動する容器を周方向に回転させ標記を特定の方向に向けることを特徴とすることができる。さらに、回転手段は、容器の移動経路に突出する突出部を複数有し、移動する容器に設けられた複数の面に対して突出部を順次接触させることで容器を周方向に回転させることを特徴とすることができる。また、回転手段は、移動する容器の外周面に対して移動に対する抗力を付与することで容器を周方向に回転させることを特徴とすることができる。また、第２の移動手段は、容器を下方から支持する支持面を有し、支持面に付与された傾斜を利用して容器を一方の側に移動させることを特徴することができる。
【０００８】
さらに、取り出し部にて、第２の移動手段は第１の移動手段よりも上方に位置し、第１の移動手段により取り出し部に移動してきた容器を上昇させる上昇手段を更に備えることを特徴とすることができる。また、第１の移動手段は、容器を下方から支持する容器支持部を取り出し部に有し、上昇手段は、第１の移動手段の容器支持部を上昇させることで容器の上昇を行うことを特徴とすることができる。さらに、第２の移動手段は、容器を下方から支持する容器支持部を有し、上昇手段は、第２の移動手段の容器支持部を下降させるとともに容器支持部を上昇させることで容器の上昇を行うことを特徴とすることができる。また、上昇手段により上昇が行われている容器が上昇手段から除去されたことを検知する検知手段を更に備え、上昇手段は、容器を支持する容器支持部を予め定められた位置まで上昇させることで容器の上昇を行うとともに上昇を行った後容器支持部を下降させ、容器支持部の上昇を行っているときに検知手段にて除去が検知された場合には容器支持部を予め定められた位置まで上昇させずに下降させることを特徴とすることができる。また、上昇手段は、容器を支持する容器支持部を上昇させることで容器の上昇を行うとともに上昇を行った後容器支持部を下降させ、陳列装置が収納される収納ケースに設けられ容器が取り出される際に操作されるドアの開操作がなされた場合には容器支持部の上昇又は下降を停止することを特徴とすることができる。
【発明の効果】
【０００９】
本発明を採用しない場合に比べ、商品の購入者に商品の存在をより確実に認識させることができる。
【図面の簡単な説明】
【００１０】
【図１】本発明の実施形態に係る陳列装置の概略構成を示した図である。
【図２】陳列装置が陳列ケースに収容された状態を示す図である。
【図３】陳列装置における容器の動作を示した図である。
【図４】昇降部を説明するための図である。
【図５】昇降部を説明するための図である。
【図６】回転機構を説明するための図である。
【図７】容器を説明するための図である。
【図８】容器を説明するための図である。
【図９】回転機構における容器の動作を説明するための図である。
【図１０】容器の他の動作例を示した図である。
【図１１】容器の他の動作例を示した図である。
【図１２】容器の他の形態を示した図である。
【図１３】第３移動ユニットの斜視図である。
【図１４】第３移動ユニットにおける容器の動作を示した図である。
【図１５】第２の実施形態における陳列装置を示した図である。
【図１６】昇降部を説明するための図である。
【図１７】昇降部を説明するための図である。
【発明を実施するための形態】
【００１１】
―第１の実施形態―
以下、添付図面を参照して、本発明を実施するための形態について詳細に説明する。
図１は、本発明の実施形態に係る陳列装置の概略構成を示した図である。図２は、陳列装置が陳列ケースに収容された状態を示す図である。
図１に示すように本実施形態における陳列装置３０は、陳列装置３０の手前側に位置する容器（詳細は後述）を陳列装置３０の奥側に向けて一方向に移動させる第１移動ユニット１００、第１移動ユニット１００により移動してきた容器を上記一方向とは直交する方向（交差する方向）に移動させる第２移動ユニット２００、第２移動ユニット２００により移動してきた容器を陳列装置３０の手前側に向けて移動させる第３移動ユニット３００を備えている。また、陳列装置３０に設けられたモータ（後述）などを制御したり、センサ（後述）からの信号を受信したりする制御部４００を備えている。なお、制御部４００は、プログラム制御されたＣＰＵ（Central Processing Unit）により構成されている。
【００１２】
ここで、本実施形態における陳列装置３０では、第２移動ユニット２００に容器が投入される。言い換えると、第２移動ユニット２００に容器の投入部が設けられている。また、本実施形態における陳列装置３０では、陳列装置３０の手前側であって第３移動ユニット３００の端部に容器の取り出し部が設けられている。
【００１３】
上記陳列装置３０は、図２に示すように、コンビニエンスストア、スーパーマーケットなどに設置される陳列ケース１０（収納ケースの一例）の内部に収納される。この陳列ケース１０は、直方体状に形成されたケース本体部１０Ａと、このケース本体部１０Ａに対して開閉可能に設けられたドア１０Ｂとにより主要部が構成されている。また、陳列ケース１０には、ドア１０Ｂの開閉を検知する開閉検知センサ１０Ｓが設けられている。
【００１４】
ここで陳列装置３０は、陳列ケース１０に設けられた棚（不図示）の上に載せられる。この際、陳列装置３０は、容器の取り出し部が設けられた側がドア１０Ｂ側に位置するように設置される。また、本実施形態における陳列ケース１０は、後方側にもドアが設けられ（不図示）、後方側も開放可能となっている。そしてこの後方側より、陳列装置３０の第２移動ユニット２００に対して容器２０（図３参照）が投入される。そして、投入された容器２０は第３移動ユニット３００を移動し容器の取り出し部まで到達する。その後、容器は、第１移動ユニット１００、第２移動ユニット２００の順に移動を行い、第３移動ユニット３００に再度移動してくる。そして、再度容器の取り出し部に移動する。即ち、本実施形態における陳列装置３０では、容器が循環移動するようになっている。
【００１５】
陳列装置３０についてさらに詳細に説明する。
第２の移動手段として機能する第１移動ユニット１００は、図１に示すように、第３移動ユニット３００から移動してきた容器を上昇させるとともに容器を上昇させた後に下降する昇降部１２０と、昇降部１２０により上方に移動した容器を第２移動ユニット２００に向けて移動させる移動部１３０とを備えている。
【００１６】
上昇手段の一つとして機能する昇降部１２０は、板状に形成され容器を下方から支持する支持部１２１（容器支持部の一例）と、支持部１２１の上面に取り付けられるとともに回転可能に設けられ容器を移動部１３０に向けて送り出す送り出しロール１２２と、送り出しロール１２２を回転駆動する駆動モータ（不図示）とを備えている。また昇降部１２０は、支持部１２１の下部に取り付けられるとともに陳列装置３０の前面側に位置し、支持部１２１が上昇した際に壁面を形成する第１側板１２３Ａを備えている。さらに、支持部１２１の下部に取り付けられるとともに第３移動ユニット３００と対向する側に位置し、支持部１２１が上昇した際に壁面を形成する第２側板１２３Ｂを備えている。ここで、本実施形態では図示を省略しているが、第１側板１２３Ａに対して商品名や商品名などの標記を付すことにより、支持部１２１が上昇した際に宣伝広告効果が生じさせることができる。また、昇降部１２０は、支持部１２１上における容器の有無を検知する有無検知センサＳ１を備えている。
【００１７】
移動部１３０は、板状に形成されるとともに昇降部１２０が設けられている側よりも第２移動ユニット２００が設けられている側の方が低くなっている。即ち、陳列装置３０の手前側から奥側に向かって下り傾斜した状態で配置されている。移動部１３０は、この傾斜を利用して、第２移動ユニット２００に向けて容器を移動させる。付言すると、移動部１３０のうち容器を支持する支持面（移動部１３０の上面）には傾斜が付与され、移動部１３０は、この傾斜を利用して、第２移動ユニット２００に向けて容器を移動させる。なお、図１では図示を省略しているが、移動部１３０の上面には、回転可能に設けられ容器が移動してきた際に回転する回転ローラが設けられている。
【００１８】
第２移動ユニット２００は、板状に形成され容器を下方から支持する支持部２１０を備えている。そしてこの支持部２１０は、第３移動ユニット３００に接続された側の方が第１移動ユニット１００に接続された側よりも低くなっている。即ち、支持部２１０は、第１移動ユニット１００側から第３移動ユニット３００側に向かって下り傾斜した状態で配置されている。第２移動ユニット２００は、この傾斜を利用して、第３移動ユニット３００に向けて容器を移動させる。なお、支持部２１０の上面にも、回転可能に設けられ容器が移動してきた際に回転する回転ローラが設けられている。
【００１９】
第１の移動手段として機能する第３移動ユニット３００は、板状に形成され容器を下方から支持する支持部３１０を備えている。そしてこの支持部３１０は、手前側の方が奥側（第２移動ユニット２００が設けられている側、陳列装置３０の一方の側）よりも低くなっている。言い換えると、支持部３１０は、陳列装置３０の奥側から陳列装置３０の手前側に向かって下り傾斜した状態で配置されている。第３移動ユニット３００は、支持部３１０の傾斜を利用して、陳列装置３０の手前側（容器の取り出し部）に向けて容器を移動させる。
【００２０】
また第３移動ユニット３００は、第１移動ユニット１００の昇降部１２０と隣接する箇所に、容器をこの昇降部１２０に向けて移動させる移動ローラ３２０を備えている。さらに、この移動ローラ３２０を回転駆動させる駆動モータ（不図示）を備えている。また、移動ローラ３２０の上方における容器の有無を検知する有無検知センサＳ２を備えている。さらに第３移動ユニット３００は、第２移動ユニット２００から移動してきた容器を周方向に回転させ容器に付された識別標記（後述）を陳列装置３０の前方に向ける回転機構３５０を備えている。なお、移動ローラ３２０よりも容器の移動方向上流側には、回転可能に設けられ容器が移動してきた際に回転する回転ローラが設けられている（不図示）。また、回転機構３５０の詳細については後述する。
【００２１】
図３は、陳列装置３０における容器の動作を示した図である。
第２移動ユニット２００に投入された容器２０（符号３Ａ参照）は、第３移動ユニット３００を陳列装置３０の前方に向かって移動していく。この際、回転機構３５０によって、符号３Ｂに示すように周方向に回転する。これにより、符号３Ｃに示すように、容器２０に付された識別標記２３が陳列装置３０の前方を向くようになる。その後、容器２０は、識別標記２３が前方を向いた状態で移動ローラ３２０（図１参照）により移動され、昇降部１２０の支持部１２１に載せられる。そして、有無検知センサＳ１により容器２０が検知されると、制御部４００からの指示に基づき、支持部１２１が上昇する。
【００２２】
その後、送り出しロール１２２（図１参照）の回転が開始され、容器２０は、第１移動ユニット１００の移動部１３０に送り出される。そして容器２０は、第２移動ユニット２００に到達する。そして容器２０は、第３移動ユニット３００に再度進入する。その後、容器２０が購入者によって取り出されるまで、容器２０は、第３移動ユニット３００、第１移動ユニット１００、第２移動ユニット２００の順に移動する。即ち、本実施形態では、容器２０が取り出されるまで容器２０は循環移動する。
【００２３】
なお、上記送り出しロール１２２による容器２０の送りだしが行われた後、支持部１２１は下降し元の位置に戻る。また、開閉検知センサ１０Ｓ（図２参照）にてドア１０Ｂが開けられたことが検知された場合、支持部１２１の上昇や下降を停止させることが好ましい。そして、ドア１０Ｂが閉じられた後に、支持部１２１の上昇や下降を再開させることが好ましい。
【００２４】
ここで、回転手段の一例としての回転機構３５０は、第１移動ユニット１００や第２移動ユニット２００に設けることもできる。この場合、陳列装置３０の後方に向かって容器２０が移動する際や陳列装置３０の幅方向に容器２０が移動する際に容器２０の識別標記２３が前方を向くようになる。ところでこの場合、容器２０が、最初に第３移動ユニット３００を移動する際に識別標記２３が前方を向かないことになる。この結果、陳列装置３０に投入され未だ第１移動ユニット１００等に到達していない容器２０は、容器２０の取り出し部において識別標記２３が前方を向かない状態となる。また、第１移動ユニット１００へ移動する際、および第１移動ユニット１００の昇降部１２０にて上昇する際も、識別標記２３が前方を向かない状態となる。このため識別標記２３を早い段階で前方に向けるためには、回転機構３５０を第３移動ユニット３００に設けることが好ましくなる。さらに、容器２０の取り出し部により近い位置にて容器２０を回転させた方が、取り出し部にて、容器２０の識別標記２３がより確実に前方を向くようになる。
【００２５】
ここで昇降部１２０、回転機構３５０、および容器２０について更に詳細に説明する。
図４および図５は、昇降部１２０を説明するための図である。
図４に示すように、昇降部１２０は、支持部１２１の下面に接続され支持部１２１から下方に向かって配置された接続部材１２４を備えている。そして、この接続部材１２４は、自身の側面にラックギア部１２４Ａを有している。また、昇降部１２０は、このラックギア部１２４Ａに噛み合って設けられた円形ギア１２５を備えている。さらに昇降部１２０は、この円形ギア１２５を回転させるモータ（不図示）を備えている。本実施形態では、このモータによって円形ギア１２５が回転される。これにより、図５に示すように、接続部材１２４が上昇するとともに支持部１２１が上昇する。なお、支持部１２１の上昇は、エアシリンダ、ソレノイド等を用いて行うこともできる。
【００２６】
図６は、回転機構３５０を説明するための図である。なお、同図（Ａ）は第３移動ユニット３００の上面図であり、同図（Ｂ）は第３移動ユニット３００の右側面図である。
ここで上記では説明を省略したが、第３移動ユニット３００は、容器２０の移動経路の両側方にガイド３６０を備えている。また、第１移動ユニット１００および第２移動ユニット２００にも不図示のガイドが設けられている。
【００２７】
回転機構３５０は、同図（Ａ）に示すように、容器２０の移動経路に沿って設けられ且つ支持部３１０の上方に設けられた棒状部材５１１と、この棒状部材５１１に取り付けられ容器２０の移動経路に突出した突出部の一例としての第１ピン５２１〜第６ピン５２６を備えている。ここで本実施形態では、容器２０の移動方向最上流側に第１ピン５２１が配置され、移動方向最下流側に第６ピン５２６が配置されている。また、第１ピン５２１〜第６ピン５２６の各々は、一定の間隙をおいて配置されている。また、回転機構３５０は、棒状部材５１１を右方側のガイド３６０に固定する固定部材５３を備えている。
【００２８】
また、同図（Ｂ）に示すように、棒状部材５１１には、前方に向かうに従い支持部３１０から離れるような傾斜が付与されている。このため、本実施形態では、第１ピン５２１が支持部３１０の最も近くに配置され、第６ピン５２６が支持部３１０から最も離れた箇所に位置している。付言すれば第１ピン５２１〜第６ピン５２６は、高さ方向における位置が互いにずらされて配置されている。なお、本図では、理解を容易にするため、棒状部材５１１の傾斜を実際の傾斜よりも大きく表示している。
【００２９】
次に、容器２０について説明する。
図７および図８は、容器２０を説明するための図である。なお、図７（Ａ）は容器２０の正面図を示し、同図（Ｂ）は容器２０の左側面図を示している。また、図８（Ａ）は容器２０の背面図を示し、同図（Ｂ）は容器２０の右側面図を示している。また、図７（Ａ）、（Ｂ）、図８（Ａ）、（Ｂ）の各々の上部に表示した図は、Ａ−Ａ線における断面図を示している。
【００３０】
本実施形態における容器２０は、ＰＥＴ（ポリエチレンテレフタレート）などの樹脂材料により形成された容器を例示している。例えば、このような容器２０は、樹脂材料を用いた射出成形（ブロー成形）法、樹脂材料を用いてプリフォームを成形後、これをブロー成形する方法により製造することができる。
図７（Ａ）に示すように本実施形態における容器２０は、上部に開口（飲み口）を有し且つ円筒状に形成され内部に飲料が充填された容器本体２１と、容器本体２１の開口を塞ぐキャップ２２とを備えている。また容器本体２１の外周面には、フィルムＦが装着されている。なお、容器本体２１は、上部側の径が底部側の径よりも小さくなっている。即ち、容器本体２１は、上部側が縮径された状態となっている。そして本実施形態では、この縮径された部分（縮径部）に対し後述する第２突出部２５が設けられている。
【００３１】
ここでフィルムＦには、同図（Ａ）に示すように、商品名、商標名など他の商品と識別するための識別標記２３が印刷されている。
また容器２０は、容器本体２１の上部に（キャップ２２の下部に）、容器本体２１の外周面から容器本体２１の径方向に環状に突出した第１突出部２４を備えている。ここで、この第１突出部２４は、容器本体２１と一体に形成されている。
【００３２】
さらに容器２０は、第１突出部２４の下部に、第２突出部２５を備えている。ここで、この第２突出部２５の突出量は、第１突出部２４の突出量よりも小さくなっている。この場合、第２突出部２５が第１突出部２４よりも突出している場合に比べ、キャップ２２を操作をする際のユーザの手指が第２突出部２５に引っ掛かりにくくなる。また、第２突出部２５は、図７（Ａ）の断面図に示すように、識別標記２３が設けられた側から識別標記２３が設けられた側とは反対側にかけて、容器本体２１に巻き付くように設けられている。付言すれば、識別標記２３が設けられた側から反対側に向かって時計回り方向に沿って設けられている。さらに説明すると、第２突出部２５は、容器本体２１の周方向における所定範囲内に設けられている。
【００３３】
さらに説明すると、容器２０は、容器２０を識別標記２３が設けられた側から眺めた場合に（図７（Ａ）参照）、容器２０の右側面側に、第２突出部２５が設けられていない構成となっている。付言すると、第２突出部２５が設けられている高さ方向の位置において、容器２０の右側面側は（第２突出部２５に隣接する領域は）、容器本体２１が露出する状態となっている。さらに説明すると、容器本体２１の右側面に対する接線且つ容器２０の正面側から背面側に向かう接線であって上記第２突出部２５が設けられた高さ位置を通る接線（図７（Ａ）の断面図参照）よりも容器２０の右方側には、第２突出部２５が設けられていない構成となっている。
【００３４】
また、第２突出部２５は、その下面が階段状に形成されており、複数の段部を備えた構成となっている。詳細に説明すると、第２突出部２５は、時計回り方向に進むに従い高さが減少するように、その下面が階段状に形成されている。このため、本実施形態における第２突出部２５は、その下部に、高さ方向における位置が互いに異なる第１平坦面２５１〜第６平坦面２５６を備えた構成となっている。付言すると、第２突出部２５は、高さ方向における位置が互いに異なりまた容器本体２１の周方向における位置が互いに異なる複数の端面を有している。
【００３５】
ここで、第１平坦面２５１〜第６平坦面２５６の各々は、図７（Ａ）の断面図に示すように、容器本体２１の外周面に対して交差する関係（略直交する関係）で配置されている。また、第１平坦面２５１は、図７（Ａ）に示すように、識別標記２３が設けられた側に位置している。また、第６平坦面２５６は、図８（Ａ）に示すように、識別標記２３が設けられた側とは反対側に位置している。また、第２平坦面２５２〜第５平坦面２５５は、第１平坦面２５１から第６平坦面２５６に向かって、第２平坦面２５２、第３平坦面２５３、第４平坦面２５４、第５平坦面２５５の順に設けられている。さらに、容器２０の周方向において、第１平坦面２５１〜第６平坦面２５６は所定の角度毎に設けられている。また、第１平坦面２５１が最も下部に位置し、第６平坦面２５６が最も上部に位置している。なお、第２突出部２５は、容器２０の形成時に形成することができる。また、例えば、樹脂片や金属片などの部材を別途貼付等したりして形成することができる。
【００３６】
次いで回転機構３５０における容器２０の動作について説明する。
図９は、回転機構３５０における容器２０の動作を説明するための図である。なお、本図では、移動ローラ３２０や固定部材５３の図示を省略している。また、図を見やすくするため、第１突出部２４の上方に第１ピン５２１〜第６ピン５２６を表示している。
同図の符号５Ａに示すように、識別標記２３が右斜め前方を向いた状態で容器２０が陳列装置３０に投入された場合、第１ピン５２１に対し第１平坦面２５１が突き当たるようになる。これによって容器２０には回転力（抗力）が付与され、容器２０は反時計回りに回転を行うようになる。次いで容器２０の前方への移動に伴い、第２ピン５２２に対し第２平坦面２５２が突き当たり（符号５Ｂ参照）、容器２０は同様に反時計回りの回転を行う。
【００３７】
その後、容器２０は、第３ピン５２３に第３平坦面２５３が突き当たり、第４ピン５２４に第４平坦面２５４が突き当たり、第５ピン５２５に第５平坦面２５５が突き当たることで、周方向の回転を順次行っておく。そして最終的に、第６平坦面２５６が第６ピン５２６に突き当たることで（符号５Ｃ参照）、識別標記２３が前方を向くようになる。その後、容器２０は、支持部３１０上をスライドし陳列装置３０の前方に到達する。
【００３８】
本実施形態では、識別標記２３と第２突出部２５（第１平坦面２５１〜第６平坦面２５６）が設けられた領域とが予め定められた位置関係を有して配置されている。また、識別標記２３と第２突出部２５が設けられていない領域も予め定められた位置関係を有して配置されている。具体的には、識別標記２３が一方向を向いている場合に、第２突出部２５が設けられていない領域がこの一方向と直交する方向を向くようになっている。
【００３９】
このため本実施形態では、識別標記２３が前方以外の方向を向いている場合には容器２０が回転し、識別標記２３が前方を向いている場合には容器２０は回転を行わない。付言すると、識別標記２３が前方に向いていない状態で容器２０の投入を行ったとしても、陳列装置３０の前方側に容器２０が達した際に識別標記２３を前方に向いた状態となる。即ち本実施形態では、容器２０を陳列装置３０に投入する投入者が特別な操作をしないでも、識別標記２３が前方を向くこととなる。
【００４０】
なお上記では説明を省略したが、第１ピン５２１〜第６ピン５２６の各々は、高さ方向における位置が予め調整されている。即ち、第１ピン５２１と第１平坦面２５１とが突き当たるように、第２ピン５２２と第２平坦面２５２とが突き当たるように、第３ピン５２３と第３平坦面２５３とが突き当たるように、第１ピン５２１〜第３ピン５２３の各々は、高さ方向における位置が予め調整されている。また、第４ピン５２４と第４平坦面２５４とが突き当たるように、第５ピン５２５と第５平坦面２５５とが突き当たるように、第６ピン５２６と第６平坦面２５６とが突き当たるように、第４ピン５２４〜第６ピン５２６の各々は、高さ方向における位置が予め調整されている。
【００４１】
次いで容器２０の他の動作例を説明する。
図１０、図１１は、容器２０の他の動作例を示した図である。
図１０（Ａ）に示すように、識別標記２３が陳列装置３０の後方側を向いた状態で容器２０が投入された場合、第３平坦面２５３が陳列装置３０の前方を向いた状態となる。そして容器２０は前方へ移動することとなるが、この第３平坦面２５３は、第１ピン５２１、第２ピン５２２（図６（Ｂ）も参照）の上方を通過するようになる。このため、容器２０は、回転せずに第３ピン５２３まで到達する。そして、容器２０はこの第３ピン５２３から回転力を受け上記と同様に回転を行う。そして容器２０は、上記と同様に、識別標記２３が前方を向いた状態で陳列装置３０（第３移動ユニット３００）の前方に到達する。
【００４２】
また例えば図１０（Ｂ）に示すように、識別標記２３が左斜め前方を向いた状態で容器２０が投入された場合、第６平坦面２５６が陳列装置３０の前方を向いた状態となる。そして容器２０は前方へ移動することとなるが、この第６平坦面２５６は、第１ピン５２１〜第５ピン５２５（図６（Ｂ）も参照）の上方を通過するようになる。このため、容器２０は、回転せずに第６ピン５２６まで到達する。そして、容器２０はこの第６ピン５２６から回転力を受け上記と同様に回転を行う。そして容器２０は、上記と同様に、識別標記２３が前方を向いた状態で陳列装置３０の前方に到達する。
【００４３】
さらに例えば図１１に示すように、識別標記２３が前方を向いた状態で容器２０が投入される場合もある。この場合、容器２０の側面であって第１ピン５２１〜第６ピン５２６が配置された側と対向する側面には、第２突出部２５が存在しない状態となる。付言すれば、第２突出部２５が存在しない領域（面）と、第１ピン５２１〜第６ピン５２６が配置された側とが対峙するようになる。さらに付言すれば、第１ピン５２１〜第６ピン５２６に突き当たる第１平坦面２５１〜第６平坦面２５６が、容器２０の図中右側面側に位置しない状態となる。このため、容器２０は、回転を行うことなく陳列装置３０の前方まで到達する。即ち、識別標記２３が前方を向いた状態を維持したまま陳列装置３０の前方まで到達する。
【００４４】
また、容器２０および回転機構３５０は次のような構成とすることもできる。
図１２は、容器２０の他の形態を示した図である。なお、同図（Ａ）は容器２０を一方側から図示したものであり、同図（Ｂ）は、容器２０を他方側から図示したものである。また、同図（Ｃ）は同図（Ａ）のＳ部における断面を示し、同図（Ｄ）は同図（Ａ）のＴ部における断面を示している。
【００４５】
図１２に示す容器２０は、いわゆる２ピース缶であり、飲料などの内容物が充填され且つプルタブ（不図示）を有した蓋部材が取り付けられている。
本容器２０は、同図（Ａ）および（Ｂ）に示すように、外周面に、第１領域Ｒ１〜第４領域Ｒ４を有している。ここでこれらの領域は、容器２０の周方向において、第１領域Ｒ１、第２領域Ｒ２、第３領域Ｒ３、第４領域Ｒ４の順に設けられている。なお、第１領域Ｒ１の表面状態および第３領域Ｒ３の表面状態は同様に構成されている。また、第２領域Ｒ２の表面状態および第４領域Ｒ４の表面状態は同様に構成されている。このため以下の説明では、第１領域Ｒ１および第２領域Ｒ２を中心に説明する。さらに本実施形態では、表面における摩擦係数は、第１領域Ｒ１（第３領域Ｒ３）＞第２領域Ｒ２（第４領域Ｒ４）となっている。
【００４６】
ここで同図（Ｃ）を参照し第２領域Ｒ２の表面状態についてまず説明する。
同図（Ｃ）に示すように、第２領域Ｒ２には、容器本体５０の表面にインキ層５１が設けられている。また、インキ層５１の表面にクレーター状の凹凸を有したトップコート層（最外層）５２が設けられている。
【００４７】
ここでインキ層５１に用いるインキには、例えば金属印刷用のものを用いることができる。ここでインキの顔料（色量）としては、各種の有機顔料や無機顔料が用いられる。また、インキのビヒクルは、熱硬化性樹脂や紫外線硬化性樹脂等の樹脂を主成分としている。ここで熱硬化性樹脂としては、アルキッド型又はポリエステル型の樹脂等が用いられる。また、紫外線硬化性樹脂としては、紫外線ラジカル重合型、紫外線カチオン重合型の樹脂等が用いられる。さらに、インキには添加剤が含有されていても良い。添加剤としては、艶消し剤、ワックス類（天然系、石油系、合成系）、乾燥剤、分散剤、湿潤剤、架橋剤、ゲル化剤、増粘剤、皮張り防止剤、安定剤、消泡剤、光重合開始剤等が用いられる。
【００４８】
またインキ層５１は、いわゆるはじきインキにより形成されている。即ち、インキ層５１は、このインキ層５１の表面にトップコート層５２を形成する塗料が塗られた場合にこの塗料をはじくインキにより形成されている。ここでトップコート層５２における上記凹凸は、トップコート層５２を形成する塗料がこのインキ層５１によりはじかれることにより形成されたものである。
【００４９】
なおトップコート層５２を形成する塗料をインキ層５１によりはじくためには（上記凹凸を形成するためには）、インキ層５１の形成に用いるインキの表面張力を、トップコート層５２の形成に用いる塗料の表面張力よりも５ｍＮ／ｍ以上低く設定することが望ましい。換言すると、インキの表面張力が塗料の表面張力よりも低く、且つ、インキと塗料との間の表面張力の差が５ｍＮ／ｍ以上であることが望ましい。ここでインキの表面張力の低下は、例えば、通常のインキにシリコーンを添加することにより行うことができる。
【００５０】
一方、トップコート層５２に用いる塗料は、熱硬化性樹脂や紫外線硬化性樹脂等の樹脂を主成分とするものであり、必要に応じてワックス成分を含有している。
熱硬化性樹脂としては、フェノール−ホルムアルデヒド樹脂、フラン−ホルムアルデヒド樹脂、キシレン−ホルムアルデヒド樹脂、ケトン−ホルムアルデヒド樹脂、アミノ樹脂、尿素ホルムアルデヒド樹脂、メラミン−ホルムアルデヒド樹脂、アルキド樹脂、不飽和ポリエステル樹脂、エポキシ樹脂（例：ノボラック型エポキシ樹脂、ビスフェノール型エポキシ樹脂）、ビスマレイミド樹脂、トリアリルシアヌレート樹脂、熱硬化性アクリル樹脂、シリコーン樹脂、油性樹脂等が用いられる。
【００５１】
さらに、熱硬化性樹脂と熱可塑性樹脂との組成物を用いても良い。この場合、熱可塑性樹脂としては、塩化ビニル−マレイン酸−酢酸ビニル共重合体、アクリル重合体、飽和ポリエステル樹脂等が用いられる。これらの樹脂は、単独でも２種以上を組み合わせても使用できる。また、これらの樹脂組成物には、必要に応じて、トルエンスルホン酸、ベンゼンスルホン酸等の公知の酸触媒が添加されていても良い。酸触媒を用いる場合は、酸触媒は樹脂に対して０．５〜１質量％添加するのが望ましい。また、これらの樹脂のうち、特に、メラミン−ホルムアルデヒド樹脂と飽和ポリエステル樹脂との組成物や、熱硬化性アクリル樹脂とメラミン−ホルムアルデヒド樹脂との組成物を用いることが塗膜性能面で望ましい。
【００５２】
一方、紫外線硬化性樹脂としては、例えば、カチオン硬化型樹脂、ラジカル硬化型樹脂等が用いられる。カチオン硬化型樹脂としては、紫外線硬化型エポキシ樹脂と光カチオン重合触媒との組成物等が用いられる。
【００５３】
また、トップコート層５２に用いる塗料において、上記の樹脂に架橋剤や増感剤を必要に応じて添加しても良い。架橋剤としては、種々のポリオール類（例：ε−カプロラクトントリオール）等が用いられる。増感剤としては、チオキサントン誘導体等が用いられる。
さらに、トップコート層５２に用いる塗料に、滑りを補うために、ワックス成分として天然系、石油系、合成系のワックス剤を単独で又は複合して添加しても良い。
さらに、トップコート層５２の表面のレベリング剤として、あるいは／更に、塗料状態での安定性を高めるためや初期滑り性をトップコート層５２に付与するために、各種のシリコーンオイルを添加しても良い。
【００５４】
なお、インキ層５１およびトップコート層５２の組成等の一例を挙げると以下のようになる。
［トップコート層５２］
樹脂成分：ポリエステル３０％、アクリル１３％、アミノ５５％、エポキシ２％
ワックス：石油系０．３％、天然系１％、合成系０．２％（樹脂成分に対し）
シリコーンオイル（混合）：０．１５％（樹脂成分に対し）
表面張力：３３ｍＮ／ｍ
厚さ：５μｍ
［インキ層５１］（はじきインキ）
主樹脂：アルキッド樹脂
顔料：ＴｉＯ２
表面張力：２８ｍＮ／ｍ
厚さ：２μｍ
【００５５】
次いで、同図（Ｄ）を参照し第１領域Ｒ１の表面状態について説明する。
同図（Ｄ）に示すように第１領域Ｒ１には、上記と同様、容器本体５０の表面にインキ層５１が設けられている。また、インキ層５１の表面に、上記第２領域Ｒ２におけるトップコート層５２よりも表面が平滑に形成されたトップコート層（最外層）５２が設けられている。
【００５６】
ここで第１領域Ｒ１におけるインキ層５１は、トップコート層５２を形成する塗料をはじかないインキ（通常インキ）を用いて形成している。付言すれば、インキ層５１を形成するインキは、表面張力がトップコート層５２を形成する塗料の表面張力と等しいか又はそれよりも高いインキが用いられている。このため第１領域Ｒ１では、トップコート層５２を形成する塗料がはじかれず、トップコート層５２の表面は、第２領域Ｒ２におけるトップコート層５２に比べ平滑となる。なお、インキ層５１を形成するインキの基本的な組成等は上記と同様である。トップコート層５２を形成する塗料の基本的な組成等は上記と同様である。
【００５７】
また本実施形態における容器２０は、その外面（外周面）に、商品名、商標名など他の商品と識別するための第１識別標記２３ａ、第２識別標記２３ｂを有している（なお本明細書においては、以下単に「識別標記２３」と称する場合がある。）。ここで、第１識別標記２３ａは第１領域Ｒ１に形成され、第２識別標記２３ｂは第３領域Ｒ３に形成されている。なお、第１識別標記２３ａおよび第２識別標記２３ｂは、上記インキ層５１により形成されている。
【００５８】
図１３は、第３移動ユニット３００の斜視図である。本図を用いて回転機構３５０の他の形態について説明する。
本図に示す第３移動ユニット３００では、ガイド３６０および抵抗付与部３７０によって回転機構３５０が構成されている。
ガイド３６０は、容器２０の移動経路に沿って設けられるとともに支持部３１０から上方に向かって配置されている。
【００５９】
抵抗付与部３７０は、ガイド３６０の一方の側面であって容器２０の移動経路に面する側面に取り付けられ且つ容器２０の移動経路に沿って設けられている。この抵抗付与部３７０は、移動する容器２０の外周面に接触しこの容器２０に対して摺動抵抗（摩擦抵抗）を付与する。なお、抵抗付与部３７０は、断面が円形であるほうが好ましい。容器２０が上下方向に変動したり左右方向に変動したりしても容器２０と抵抗付与部３７０との接触面積が確保されやすいためである。なお、抵抗付与部３７０は、例えば、円柱の基材に、ＥＰＤＭ（エチレン−プロピレンゴム）などのゴム部材を貼付することにより形成することができる。また例えば、円柱の基材に、塩化ビニルなどにより構成されたビニールテープを貼付することにより形成することができる。
【００６０】
また、本図における第３移動ユニット３００では、支持部３１０の上面に陳列装置３０の幅方向における傾斜が付与されている。このため、支持部３１０上の容器２０は、抵抗付与部３７０側に寄り、外周面が抵抗付与部３７０に接触するようになる。また、本図における第３移動ユニット３００には、移動ローラ３２０（図１参照）が設けられておらず、上記傾斜によって容器２０が第１移動ユニット１００に移動する。
【００６１】
図１４は、第３移動ユニット３００における容器２０の動作を示した図である。
第２移動ユニット２００（図１参照）から第３移動ユニット３００に進入した容器２０は、抵抗付与部３７０によって案内されながら前方に向かって移動する。そしてこのとき、第１領域Ｒ１が抵抗付与部３７０に接触する状態にあると（符号４Ａ参照）、第１領域Ｒ１と抵抗付与部３７０との間における滑りが抑制され（第１領域Ｒ１に抗力が付与され）、容器２０は、反時計回りの回転を行いながら前方へ移動する（符号４Ｂ参照）。
【００６２】
そして符号４Ｃに示すように、第２領域Ｒ２が抵抗付与部３７０に接触する状態となると、第２領域Ｒ２と抵抗付与部３７０との間で滑りが生じ、容器２０の回転は停止する。なお、第２領域Ｒ２が抵抗付与部３７０に接触した場合、第２領域Ｒ２と抵抗付与部３７０とは点接触に近い状態で接触する。付言すれば、第２領域Ｒ２と抵抗付与部３７０とは接触面積が低下する状態となる。このため、第２領域Ｒ２と抵抗付与部３７０との間で上記滑りが生じるものと考えられる。
【００６３】
その後、容器２０は抵抗付与部３７０により案内されながら前方に向かって移動（スライド）する。これにより、陳列装置３０（第３移動ユニット３００）の前方に達した容器２０は、第２識別標記２３ｂが前方を向いた状態となる。付言すると、本実施形態では、第２領域Ｒ２と第２識別標記２３ｂは、予め定められた所定の位置関係を有して配置されている。より詳細には、第２領域Ｒ２が右方側（一方向）を向いている場合に第２識別標記２３ｂが前方（一方向と交差する方向、一方向と直交する方向）を向くように配置されている。このため、第２領域Ｒ２が抵抗付与部３７０に接触した状態となると、第２識別標記２３ｂが前方を向く。
【００６４】
―第２の実施形態―
次いで第２の実施形態における陳列装置３０について説明する。
図１５は、第２の実施形態における陳列装置３０を示した図である。なお、第１の実施形態と同様の機能については、同様の符号を用いここではその説明を省略する。
【００６５】
本実施形態における陳列装置３０では、第３移動ユニット３００に、昇降部３８０が設けられている。この昇降部３８０は、容器２０の取り出し部に設けられるとともに板状に形成され容器２０を下方から支持する支持部３７１（容器支持部の一例）を備えている。また、昇降部３８０は、支持部３７１の上面に、回転可能に設けられた回転ローラ３７２を備えている（図１６参照）。また、第３移動ユニット３００は、昇降部３８０上に容器２０が存在するか否かを検知する検知センサＳ３を備えている。付言すれば、昇降部３８０から容器２０が除去されたことを検知する検知手段の一つとして機能する検知センサＳ３を備えている。
【００６６】
本実施形態でも、まず第２移動ユニット２００に対し容器２０が投入される。そして、この容器２０は、回転機構３５０により回転され識別標記２３が前方を向いた後、第３移動ユニット３００の昇降部３８０に到達する。そして、検知センサＳ３にて容器２０が検知されると、制御部４００からの指示に基づき支持部３７１が上昇し、容器２０が上方へ移動する。その後、容器２０は、第１移動ユニット１００に進入するとともに移動部１３０上をスライド移動し、第２移動ユニット２００に到達する。その後、容器２０は第３移動ユニット３００に再び進入する。
【００６７】
なお、第１の実施形態と同様に、開閉検知センサ１０Ｓ（図２参照）にてドア１０Ｂが開けられたことが検知された場合、支持部３７１の上昇や下降を停止させることが好ましい。そしてドア１０Ｂが閉じられた後に、支持部３７１の上昇や下降を再開させることが好ましい。
【００６８】
また、支持部３７１が上昇を行っている最中に、購入者（ユーザ）による容器２０の取り出しがあった場合、支持部３７１の上昇を停止させ支持部３７１を下降させることもできる。付言すると、容器２０の除去が検知センサＳ３にて検知された場合に、支持部３７１を予め定められた上昇位置まで上昇させずに下降させることができる。支持部３７１の上昇を継続させてしまうと、次の容器２０が取り出し可能になるまでの時間が長くなるためである。
【００６９】
昇降部３８０について詳細に説明する。
図１６および図１７は、昇降部３８０を説明するための図である。
図１６（Ａ）に示すように、昇降部３８０は、第１接続部材３７３および第２接続部材３７４を備えている。
第１接続部材３７３は、第１移動ユニット１００側に設けられるとともに支持部３７１に接続されこの支持部３７１から下方に向かって配置されている。
また、第２接続部材３７４は、第１移動ユニット１００が設けられた側とは反対側に設けられるとともに支持部３７１に接続されこの支持部３７１から下方に向かって配置されている。
【００７０】
なお、第１接続部材３７３および第２接続部材３７４の各々と支持部３７１とは、ヒンジ３７７を介して接続されている。このため、支持部３７１は、ヒンジ３７７を中心に揺動可能となっている。また、第１接続部材３７３は、自身の側面にラックギア部３７３Ａを有し、第２接続部材３７４も、自身の側面にラックギア部３７４Ａを有している。
さらに、昇降部３８０は、ラックギア部３７３Ａに噛み合う第１ギア３７５、この第１ギア３７５を回転させるモータ（不図示）、ラックギア部３７４Ａに噛み合う第２ギア３７６、この第２ギア３７６を回転させるモータ（不図示）を備えている。
【００７１】
ここで支持部３７１（容器２０）を上昇させる際には、同図（Ａ）に示すように第１ギア３７５および第２ギア３７６を回転駆動させる。これにより、同図（Ｂ）に示すように、支持部３７１は上昇する。また本実施形態では、同図（Ｂ）に示す状態から第２ギア３７６のみを回転駆動させる。即ち、予め定められたタイミングにて第１ギア３７５の回転を停止させ第２ギア３７６の回転を継続させる。これにより、第２接続部材３７４のみが上昇し、図１７に示すように、支持部３７１の両端部（陳列装置３０の幅方向における両端部）のうち、第１移動ユニット１００が設けられている側とは反対側に位置する一方の端部がより高い位置に位置するようになる。これにより、容器２０は、第１移動ユニット１００に移動するようになる。
【００７２】
なお、第１の実施形態および第２の実施形態では、移動部１３０に付与された傾斜を利用して容器２０を陳列装置３０の後方側に移動させたが、移動部１３０の傾斜を利用せずに容器２０を陳列装置３０の後方側に移動させることもできる。付言すれば、移動部１３０に対し、陳列装置３０の前方に向かって下る傾斜が付与されていても、容器２０を陳列装置３０の後方側に移動させることができる。例えば、移動部１３０の上面に、モータなどの駆動源により駆動される回転ローラを設け、この回転ローラを用いて陳列装置３０の後方側に容器２０を移動させることができる。
【符号の説明】
【００７３】
１０…陳列ケース、１０Ｂ…ドア、２０…容器、３０…陳列装置、１００…第１移動ユニット、１２１…支持部、２５１〜２５６…第１平坦面〜第６平坦面、３００…第３移動ユニット、３５０…回転機構、３７１…支持部、５２１〜５２６…第１ピン〜第６ピン、Ｓ３…検知センサ
【図１】
2011056021.tif 000003
【図２】
2011056021.tif 000004
【図３】
2011056021.tif 000005
【図４】
2011056021.tif 000006
【図５】
2011056021.tif 000007
【図６】
2011056021.tif 000008
【図７】
2011056021.tif 000009
【図８】
2011056021.tif 000010
【図９】
2011056021.tif 000011
【図１０】
2011056021.tif 000012
【図１１】
2011056021.tif 000013
【図１２】
2011056021.tif 000014
【図１３】
2011056021.tif 000015
【図１４】
2011056021.tif 000016
【図１５】
2011056021.tif 000017
【図１６】
2011056021.tif 000018
【図１７】
2011056021.tif 000019